(57)【特許請求の範囲】
【請求項１】
シート材からなる、縦に長い幟（１）の頭部に、骨部材（２）によって保持された前方領域（３）と後方領域（４）とを、折れ曲り自在な結合部（５）を隔て、その結合部（５）の、幟（１）の幅方向の両側に、前方領域（３）が風を受けて空側に持ち上がり、幟（１）が地面とほぼ平行してなびく使用時に後方領域（４）との間に角度がついて風圧で空側に立ち上がる、骨部材（２）によって保持されない領域である非保持領域（６）を確保し、骨部材（２）の頭部側を、幟（１）の幅方向で空側に向かって凹形に反らせ、反らせた凸面側に糸（７）を取り付けたことを特徴とする幟凧。
【請求項２】
シート材からなる、縦に長い幟（１）の頭部に、骨部材（２）によって保持された前方領域（３）と後方領域（４）とを、折れ曲り自在な結合部（５）を介して設け、その結合部（５）の、幟（１）の幅方向の両側に、前方領域（３）が風を受けて空側に持ち上がり、幟（１）が地面とほぼ平行してなびく使用時に後方領域（４）との間に角度がついて風圧で空側に立ち上がる、骨部材（２）によって保持されない領域である非保持領域（６）を確保し、骨部材（２）の頭部側を、幟（１）の幅方向で空側に向かって凹形に反らせ、反らせた凸面側に糸（７）を取り付けたことを特徴とする幟凧。
【請求項３】
前方領域（３）を保持する骨部材（２）に、弾力性がある梁部材（８）を有し、幟凧の使用時に、梁部材（８）の幅方向の両端に、引張糸（９）を繋いで、幟（１）の空側に向かって凹形に反らせたことを特徴とする請求項１又は２記載の幟凧。
【請求項４】
前記梁部材（８）をばねワイヤー（１０）としたことを特徴とする請求項３記載の幟凧。
【請求項５】
前記梁部材（８）の中央側に梁部材（８）より短い長さの補強部（２０）を設けたことを特徴とする請求項３又は４項記載の幟凧。
【請求項６】
前方領域（３）の骨部材（２）の前端側からほぼ３分の１の位置に、幟（１）の幅方向に延びる補助梁部（２１）を設けたことを特徴とする請求項１〜５のいずれか１項に記載の幟凧。
【請求項７】
前方領域（３）の骨部材（２）の前端側からほぼ３分の１の位置に糸目取り付け具（２２）を設けたことを特徴とする請求項５又は６記載の幟凧。
【請求項８】
糸目糸（２３）の前端と後端とを前方領域の前端部分と後端部分に弛みを持って取り付け、この糸目糸（２３）に調節糸（２４）を環状にして掛け雲雀結びで締緩自在に取り付けたことを特徴とする請求項５，６又は７記載の幟凧。
【請求項９】
幟凧のシート材を透明度の高い袋（２５）で構成し、袋の中に入れた紙が差し替え可能にしたことを特徴とする請求項１〜８のいずれか１項に記載の幟凧。
【発明の詳細な説明】
【０００１】
【発明の属する技術分野】
本発明は、幟凧に関する。
【０００２】
【従来の技術】
従来、凧には、日本古来の大凧が知られている。また骨を十文字に構成した、菱形の簡便な連凧が知られている。また糸目が１本のものでは、飛行機の形をした凧が知られている。また骨を外して、筒状に巻いて収納できて、助走無しに簡単に揚げられる、いわゆる、ゲイラカイトと呼ばれる凧が知られている。
【０００３】
【発明が解決しようとする課題】
従来の、日本古来の大凧には、次のような欠点があった。
（イ）強い風の時でないと、揚げられないものであった。
（ロ）また、揚げるまでに、助走や人数を要して、手間が掛かるものであった。
（ハ）また、糸目の数が多く、糸目調節に大変経験と手間を要するものであった。
（ニ）また、風圧がそのまま掛かるので、糸では強度が無理で、ロープを用いる必要があるものであった。
また、従来の骨を十文字に構成した、菱形の簡便な連凧は、次のような欠点があった。
（ホ）幟の形の連凧にすることが出来なかった。
糸目が１本の、飛行機の形をした凧には、次のような欠点があった。
（ヘ）構造が複雑で、収納には邪魔なものであった。
また骨を外して、筒状に巻いて収納出来るし、助走無しに簡単に上げられる、ビニールフィルム製などの凧には、次のような欠点があった。
（ト）幟の形にすることが出来なかった。
本発明は、これらの欠点を解決するために、なされたものである。
【０００４】
【課題を解決するための手段】
１、シート材からなる、縦に長い幟（１）の頭部に、骨部材（２）によって保持された前方領域（３）と後方領域（４）とを、折れ曲り自在な結合部（５）を隔て、その結合部（５）の、幟（１）の幅方向の両側に、前方領域（３）が風を受けて空側に持ち上がり、幟（１）が地面とほぼ平行してなびく使用時に後方領域（４）との間に角度がついて風圧で空側に立ち上がる、骨部材（２）によって保持されない領域である非保持領域（６）を確保し、骨部材（２）の頭部側を、幟（１）の幅方向で空側に向かって凹形に反らせ、反らせた凸面側に糸（７）を取り付けた。
【０００５】
２、シート材からなる、縦に長い幟（１）の頭部に、骨部材（２）によって保持された前方領域（３）と後方領域（４）とを、折れ曲り自在な結合部（５）を介して設け、その結合部（５）の、幟（１）の幅方向の両側に、前方領域（３）が風を受けて空側に持ち上がり、幟（１）が地面とほぼ平行してなびく使用時に後方領域（４）との間に角度がついて風圧で空側に立ち上がる、骨部材（２）によって保持されない領域である非保持領域（６）を確保し、骨部材（２）の頭部側を、幟（１）の幅方向で空側に向かって凹形に反らせ、反らせた凸面側に糸（７）を取り付けたことを特徴とする幟凧。
【０００６】
３、前方領域（３）を保持する骨部材（２）に、弾力性がある梁部材（８）を有し、幟凧の使用時に、梁部材（８）の幅方向の両端に、引張糸（９）を繋いで、幟（１）の空側に向かって凹形に反らせた。
【０００７】
４、前記梁部材（８）をばねワイヤー（１０）とした。
【０００８】
５、前記梁部材（８）の中央側に梁部材（８）より短い長さの補強部（２０）を設けた。
【０００８】
６、前記梁部材（８）の中央側に梁部材（８）より短い長さの補強部（２０）を設けた。
【０００９】
７、前方領域（３）の骨部材（２）の前端側からほぼ３分の１の位置に糸目取り付け具（２２）を設けた。
【００１０】
８、糸目糸（２３）の前端と後端とを前方領域の前端部分と後端部分に弛みを持って取り付け、この糸目糸（２３）に調節糸（２４）を環状にして掛け雲雀結びで締緩自在に取り付けた。
【００１１】
９、幟凧のシート材を透明度の高い袋（２５）で構成し、袋の中に入れた紙が差し替え可能にした。
【００１２】
【発明の実施の形態】
発明の実施の形態を図面を参照して説明する。なお、各図面は糸は太さを省いて１本の線で模式的に現している。また、ばねワイヤー及びワイヤーは太さを省いて１本の線で模式的に現している。
【００１３】
１、布や紙や化学製品の柔らかなフィルムなどのシート材からなる、縦に長い幟（１）の頭部に、骨部材（２）によって保持された前方領域（３）と後方領域（４）とを、折れ曲り自在な結合部（５）を隔てるか、または、結合部（５）を介して設け、結合部（５）の、幟の幅方向の両側において、骨部材（２）が存在しない非保持領域（６）を確保し、前方領域（３）が風を受けて、幟凧の頭部を持ち上げた際に、後方領域（４）との間に角度がついて、非保持領域（５）は、風圧で上方に立ち上がるので、この立ち上がった面が、幟凧が横方向にふらつくのを防ぎ、糸目が１本で、安定して揚がる幟凧を構成し、幟凧の連凧を可能にする。前方領域（３）を保持した骨部材（２）の前部分を、幟の幅方向で上方に向かって凹形に反らせるので、この部分が風を受けて、幟が頭部を持ち上げ、またこの部分が風を案内して結合部（５）を介して引き上げられた後方領域（４）が僅かに前方に向かって迎角になって、揚力を発生させる構造である。また、反らせた前方領域（３）の凸面側に、凧を操る糸（７）を取り付けた。また、幟凧を使用しない時は前方領域（３）と後方領域（４）とを重ねて折り畳んで、残りの幟部分を巻き取り、本立てなどに立てて、収納保管できるように、前方領域（３）と後方領域（４）の幟の長さ方向の寸法を、ほぼ同じにした。また糸目の位置を選んで、風の条件に対して即応できるように、前記前方領域（３）の幅方向の中心上に、糸目孔（１３）を複数個設けた。この一つに、糸目取付具（１４）を介して、幟の下面側において、糸（７）と結合し、連凧として使用するに際しては、前記糸目取付具（１４）と幟の上面側において、繋ぎ糸（１５）の一端と結合し、他端を上部の凧の下面側と結合する構造とした。
【００１４】
また、結合部（５）は骨格材（２）間を隔ててシートによって繋がるだけでなく輪や、帯材や、紐や、糸やその他の結合手段で折れ曲がり自在に繋いで補強することもできる。その際に骨格材（２）間に隙間を設けないで、例えば管状の結合手段でばねワイヤーの骨格材（２）の一部を重ねて束ね、折れ曲がり自在にしたものでも良い。
【００１５】
また、縦に長い幟を、頭部とその後方に分割することができる。繋ぎ合わせて幟凧が成立するように、例えば頭部は骨部材（２）がある後方領域（４）の後端部分までを共通に造って、その後方に宣伝用の幟などを骨部材を付ける必要がなく長方形のままで、そのまま連結する構造にできる。組み替えの形で後を入れ替えるので連結の方法は縫ったり、接着したり、クリップで止めたり、骨部材に鋲で止めたり、その他簡便に付け替える各種の方法を選択ができる。
【００１６】
２、前方領域（３）を保持する骨部材（２）に、弾力性がある梁部材（８）を有し、幟凧の使用時に、梁部材（８）の幅方向の両端に、引張糸（９）を繋いで、上方に向かって凹形に反らせた。梁部材（８）の幅方向の両端に、切り込みを設けて、これに長さの調節可能に挟む複数個の球を作った引張糸（９）を設け、風力の違いに素早く対応して、反りの量を調節出来る構造とした。なお引張糸（９）は長さが調節できるものであれば、調節方法がこの方法のものに限らない。この例では前方領域（３）と後方領域（４）を、薄帯板木材や竹ひごなどの、直線材料（１６）の一部分で保持して構成したが、骨部材（２）は、前方領域（３）と後方領域（４）と幟の幅方向に、フレームが存在しない非保持領域（５）を確保できるものであれば、例えば面を構成する軽量の板状のものでもよく、竹ひごを曲げたものでもよく、形状や、材質を問わない。
【００１７】
３、前方領域（３）を保持する骨部材（２）に、弾力性があるばねワイヤー梁部（１０）を有する構造とした。この事例では、前方領域（３）と後方領域（４）を環状のばねワイヤー（１７）の一部分で保持して構成し、前方領域（３）に、ばねワイヤー梁部（１０）を有し、ばねワイヤー梁部（１０）の、幅方向の両端に連結する左右２本のばねワイヤー弦（１８）を有し、ばねワイヤー弦（１８）の中央を連結する、細長い環状のワイヤー連結具（１９）を有する構造とし、使用時には、三角形を構成して、風に対して細いばねワイヤーでも対応でき、かつ適度にしなって、風圧をしなやかに逃がして、糸に大きな負荷を掛けない構造とした。また細長い環状のワイヤー連結具（１９）は、収納時には、前方領域（３）のばねワイヤー梁部（１０）と幅方向で同じ長さになるように、横を向いて、ばねワイヤー弦（１８）の長さが不足している分をカバーして、収納に便利な平面となり、使用時には、細長い環状のワイヤー連結具（１９）が、上下方向に立つことから、自然にばねワイヤー弦（１８）を、幅方向の中央に引き寄せて、ばねワイヤー梁部（１０）を弓なりに反らせる構造とした。なおワイヤー梁部（１０）の強度を上げて、糸で引っ張って反らせることもできる。またワイヤー連結具（１９）は、ワイヤー梁部（１０）との組み合わせで使用するものであって、この際は、糸目取付具（１４）は使用しない。ワイヤー連結具（１９）は、凧の使用時にばねワイヤー弦を引き寄せる働きに加えて、任意の糸目孔に、糸（７）や繋ぎ糸（１５）を連結する糸目取付具（１４）の働きも兼ね備えた構造である。
【００１８】
なお前記シート材を骨部材（２）の一部分で保持するには、溶着、接着、粘着、縫い付け、テープによる抑えなど自由であり、保持する方法は問わない。また保持する箇所も、自由に選択できる。
【００１９】
４、前記梁部材（８）またはばねワイヤー梁部（１０）の中央側に梁部材（８）またはばねワイヤー梁部（１０）より短い長さの補強部（２０）を設けて梁部材（８）またはばねワイヤー梁部（１０）の両端が反りやすく、中央が反りにくい構造とした。補強部（２０）は別のものでもよく断面を変化させたものでもよい、また反らす引張糸（９）は細いワイやーでもよく、その長さが一定のものでもよい。
【００２０】
５、前方領域（３）を保持する骨部材（２）と平行に、前方領域の前方からほぼ３分の１の位置に補助梁部（２１）を設けた。
【００２１】
６、糸目取り付け具（２２）を設けた。
【００２２】
７、糸目糸（２３）の前端と後端とを前方領域の前部と後部に弛みを持って取り付け、この糸目糸（２３）に調節糸（２４）を環状にして掛け雲雀結びで締緩自在に取り付けた。なお調節糸（２４）は樹脂などで造ることもできる。
【００２３】
８、幟凧のシート材を透明な袋で構成し、袋の中に入れた紙が差し替え可能な様に袋の一面をほとんど固定部材（２７）で固定せず自由にした構造とした。
【００２４】
また、図（１１）の事例では前記梁部材（８）またはばねワイヤー梁部（１０）の中央側に梁部材（８）またはばねワイヤー梁部（１０）より短い長さの補強部（２０）を設けて梁部材（８）またはばねワイヤー梁部（１０）の両端が反りやすく、中央が反りにくくし、また前方領域（３）を保持する骨部材（２）と平行に、前方領域の前方からほぼ３分の１の位置に、補助梁部（２１）を設けたことによって飛行機の翼と昇降舵の役割を前方領域の一つ面の中に分担させて、前方領域を持ち上げる部分と、風を呼び込む部分の分担をきちっと分けて構成した。なお面を保って曲がるためのすじかい（２６）は省くことも出来る。
【００２５】
これによって弱い風でも楽に揚がり、強風の際には乱気流で折れ曲り自在な結合部（５）が逆折れして幟凧が墜落してしまうという不具合を解決出来る構造とした。
【００２６】
したがって普通の凧では非力な人では支え切れなかったり、凧がくるくる回ってしまうような台風並みの強風の中でも、安定して揚がり、風が強くなるにつれて、前記の各領域と呼んだ面同士が構成する角度が小さく、平面に近くなって風の抵抗が減り、細い糸のままで、突風の際には、ほとんど平らになって揚げる人の真上に切り上がって安定した波打ちを見せる構造とした。
【００２７】
【発明の効果】
本発明は、以上説明したように構成されているので、以下に記載されているような効果を奏する。
【００２８】
（イ）風を受け流す各部分の働きがあるから、強い風の時でも、糸に掛かる力は軽く、また鯉幟がなびく程度の風なら、十分に揚げることが出来る。
（ロ）手に持って掲げるだけで、泳ぐようになびき始めて、高く揚げるまでに、助走や人数を要して手間が掛かることがない。
（ハ）また、風をまともに受けないで、逃がしながら浮力に換えるグライダーのような構造であるから、例えば、体長が４メートルと３メートルと２メートルの鯉幟の連凧を、普通の凧糸で、一人で、楽に揚げることができ、同じ程度に目立つ大きさの、和凧のように、ロープを用いたり、人手や労力を必要としない。
（ニ）従来の、連凧になかったような幟の形の連凧を構成することが出来る。
（ホ）糸目が１本にできる幟凧であるから、従来の飛行機の形をした糸目が１本のものに較べて、構造が簡単で、収納や保管に邪魔にならない。
（ヘ）簡便なビニールフィルム製などの通称ゲイラカイトと呼ばれるもの並に、手軽で、加えて、幟の形状にできる。
（ト）以上の課題を解決した効果に加えて、以下の応用上の効果が期待できる。
【００２９】
幟に魚を書いて、空に清流を遡る魚群を、演出することができる。
【００３０】
大型の物も、手軽に揚げられるので、鯉幟の代わりに、団地の親子に連凧の鯉幟を提供することができる。住宅事情で、売れ行きの鈍った鯉幟業界に、活気を与える商品にできる。
【００３１】
産地のお土産として、背丈の大きさの鮭や、鮎や、マグロの絵や、竿に揚げている宣伝の幟大の広告文もセット出来て、総てＡ４サイズの郵便物として、薄く収納して送れるので、連凧の、産地限定のお土産ができ、物産の産地直送を支援できる。
【００３２】
コマーシャルの媒体として、業者が支援して、安く売り出したり、販売イベントの景品として利用し、多くの人目に付く、効果的な広告にできる。
【００３３】
地域の、イベント会場などで売り出して、環境対策のキャンペーン手段としても利用できる。
【００３４】
ステンレスばねワイヤーフレームのものは、鯉幟並みに長期に保存のできる買い物として、高付加価値の商品にできる。
【００３５】
直線状の材料でフレームを作成したものは、廉価な幟凧ができるから、野外の遊びに使用して、印刷された面白い言葉のものを選んで、空に書いた落書きや若者の意思表示として、パーティーグッズの乗りで楽しめる。また、観光地にあるハンカチなどに入れた愛称のように、「何何ちゃん」という家族の愛称を揃えて、家族オリジナルの連凧にすることもできる。
【００３６】
直線状の材料でフレームを作成したものは、廉価に連凧を楽しめて、廉価に買い足して、繋いで、数を競争しながら増やしていけるために、リピート購入が期待出来る。
【００３７】
板帯材でフレームを作成したものは、使用後は燃えるゴミにでき、金具は糸目の部分の小さな連結具ワイヤーだけであるから、分別が容易である。
【００３８】
また実験によって得られた関係寸法を正確に再現することが出来る構造であるから糸目の位置を一か所に固定しても風の強弱に対応できるようになった。
【００３９】
これによって骨部材が全部ばねワイヤーの耐久性のある幟凧を得ることができ、連凧にする際の繋ぎ込みが調節無しに大変手早く楽に出来るようになった。
【図面の簡単な説明】
【図１】幟凧を連凧として連結して使用した状態を示す斜視図である。
【図２】骨部材に梁部材を有する幟凧を示す平面図である。
【図３】使用時の梁部材を頭部側から見た図である。
【図４】収納時の梁部材を頭部側から見た図である。
【図５】骨部材にばねワイヤー梁部を有する幟凧を示す平面図である。
【図６】使用時のばねワイヤー梁部を頭部側から見た図である。
【図７】収納時のばねワイヤー梁部を頭部側から見た図である。
【図８】凧用糸巻きの使用時の斜視図である。
【図９】凧用糸巻きの収納時の平面図である。
【図１０】梁部材に補強部を有する幟凧を示す平面図である。
【図１１】ばねワイヤー粱部に補助粱部材を有する幟凧を示す平面図である。
【図１２】糸目取り付け具を設けた幟凧の横断面図である。
【図１３】糸目糸と調節糸を設けた幟凧の使用時を示す側面図である。
【図１４】  シート材に透明な袋を用いた幟凧の部分縦断面図である。
【符号の説明】
１  幟
２  骨部材
３  前方領域
４  後方領域
５  結合部
６  非保持領域
７  糸
８  梁部材
９  引張糸
１０  ばねワイヤー梁部
１１  糸巻き
１２  取手
１３  糸目孔
１４  糸目取り付け具
１５  繋ぎ糸
１６  直線材料
１７  環状のばねワイヤー
１８  ばねワイヤー弦
１９  ワイヤー連結具
２０  補強部
２１  補助梁部
２２  糸目取り付け具
２３  糸目糸
２４  調節糸
２５  透明な袋
２６  すじかい
２７  固定部材
２８  紙
【図１】
0003668890.tif 000002
【図２】
0003668890.tif 000003
【図３】
0003668890.tif 000004
【図４】
0003668890.tif 000005
【図５】
0003668890.tif 000006
【図６】
0003668890.tif 000007
【図７】
0003668890.tif 000008
【図８】
0003668890.tif 000009
【図９】
0003668890.tif 000010
【図１０】
0003668890.tif 000011
【図１１】
0003668890.tif 000012
【図１２】
0003668890.tif 000013
【図１３】
0003668890.tif 000014
【図１４】
0003668890.tif 000015